(57)【要約】      （修正有）【課題】基板の変形を抑制し、歩留まりを向上する、光情報記録媒体を提供する。【解決手段】本発明による光情報記録媒体は、第１基板と、前記第１基板上に設けられた第１記録積層体と、前記第１記録積層体上に設けられた第２基板と、前記第２基板の一表面に設けられた第１硬質層と、を備える。前記第１硬質層は、二酸化シリコン、炭化珪素、窒化珪素、及び硫化亜鉛−二酸化シリコンのグループから選ばれた誘電体材料またはラッカーから構成される。【選択図】図２
2006294232.tif 000002
【特許請求の範囲】
【請求項１】
第１基板と、
前記第１基板上に設けられた第１記録積層体と、
前記第１記録積層体上に設けられた第２基板と、
前記第２基板の一表面に設けられた第１硬質層と、
を備える、ことを特徴とする光情報記録媒体。
【請求項２】
前記第１硬質層は、誘電体材料から構成され、前記誘電体材料が二酸化シリコン、炭化珪素、窒化珪素、及び硫化亜鉛−二酸化シリコンのグループから選ばれた一つである、ことを特徴とする請求項１に記載の光情報記録媒体。
【請求項３】
前記第１硬質層は、紫外線硬化性ラッカーまたは熱硬化性ラッカーであるラッカーから構成される、ことを特徴とする請求項１に記載の光情報記録媒体。
【請求項４】
前記第１硬質層は、前記第２基板と前記第１記録積層体との間に設けられる、ことを特徴とする請求項１に記載の光情報記録媒体。
【請求項５】
前記第１記録積層体と前記第２基板との間に設けられた第２記録積層体と、をさらに設けられる、ことを特徴とする請求項１に記載の光情報記録媒体。
【請求項６】
前記第２基板が前記第１硬質層に対向する別の表面に設けられた第２硬質層と、をさらに備える、ことを特徴とする請求項１に記載の光情報記録媒体。
【請求項７】
前記第２硬質層は、誘電体材料から構成され、前記誘電体材料が二酸化シリコン、炭化珪素、窒化珪素、及び硫化亜鉛−二酸化シリコンのグループから選ばれた一つである、ことを特徴とする請求項６に記載の光情報記録媒体。
【請求項８】
前記第２硬質層は、紫外線硬化性ラッカーまたは熱硬化性ラッカーであるラッカーから構成される、ことを特徴とする請求項６に記載の光情報記録媒体。
【発明の詳細な説明】
【技術分野】
【０００１】
本発明は、光情報記録媒体に関し、特に基板の変形を抑制する光情報記録媒体に関する。
【背景技術】
【０００２】
現在、デジタルビデオディスクDVDは、外観として、片面単層（single side single layer）、両面単層（dual side single layer）、片面２層（single side dual layer）、両面２層（dual side dual layer）と四つの種類に分けられる。
【０００３】
図１は、従来の光情報記録媒体を示す断面図である。図１に示す光情報記録媒体１は、片面単層のディスクであり、第１基板１１と、第１基板１１上に設けられた第１記録層１２１と第１記録層１２１に設けられた第１反射層１２２とを有する第１記録積層体１２と、第２基板１３と、を備える。
【発明の開示】
【発明が解決しようとする課題】
【０００４】
第１反射層１２２は、一般に、スパッタリング（Sputtering）または蒸着（Evaporation）によって形成される。しかし、ポリカーボネート（Polycarbonate）から構成された第１基板１１は、スパッタリングまたは蒸着による高温に耐えず、変形が生じてしまう場合もある。
【０００５】
また、片面２層のディスクを作製する工程は、２P工程(Photo-Polymerization Process、２P Process)と貼り合わせ工程(Bonding process)に分けられる。上記両工程において、上述したスパッタリングや蒸着による変形のみならず、２P工程におけるスタンパを剥離するステップでは、第１基板１１がスタンパを剥離する応力に耐えず、変形が生じることもある。
【０００６】
本発明は、上記問題を鑑みてなされたものであり、基板の変形を抑制し、歩留まりを向上する、光情報記録媒体を提供することを目的とする。
【課題を解決するための手段】
【０００７】
上記目的を達成するために、本発明に係る光情報記録媒体は、第１基板と、前記第１基板上に設けられた第１記録積層体と、前記第１記録積層体上に設けられた第２基板と、前記第２基板の一表面に設けられた第１硬質層と、を備える。
【発明の効果】
【０００８】
本発明の光情報記録媒体によれば、第２基板の一表面に第１硬質層を設けることにより、第２基板が強化され変形しにくくなり、平坦状態を維持することができる。さらに、第１硬質層を第２基板に設けることにより、第２基板と第１基板とを結合させる際に、すでに湾曲した第１基板を平坦状態に矯正することもできる。これにより、基板の変形を抑制し、歩留まりを向上し、生産コストを低減することができる。
【発明を実施するための最良の形態】
【０００９】
以下、図面を参照しながら、本発明の好適な実施の形態における光情報記録媒体について説明する。
【実施例１】
【００１０】
図２は、本発明の実施例１における光情報記録媒体を示す断面図である。本実施例において、光情報記録媒体２は、片面単層のディスクを例とする。図２に示すように、光情報記録媒体２は、第１基板２１と、第１基板２１に設けられた第１記録積層体２２と、第１記録積層体２２に設けられた第２基板２３と、第１硬質層２４とを備える。
【００１１】
第１基板２１は、ポリカーボネート（PC polycarbonate）から構成される。
【００１２】
第１記録積層体２２は、第１記録層２２１と第１反射層２２２とを有する。第１記録層２２１は、スピンコーティングによって第１基板２１上に形成され、第１反射層２２２は、スパッタリングまたは蒸着によって第１記録層２２１上に形成される。
【００１３】
第２基板２３は、ポリカーボネート（PC polycarbonate）から構成され、上表面２３１と、下表面２３２とを有する。
【００１４】
第１硬質層２４は、スパッタリングまた蒸着によって第２基板２３の上表面２３１に形成される。なお、本実施例において、第１硬質層２４は、誘電体材料（Dielectric materials）である二酸化シリコンから構成されるが、炭化珪素、窒化珪素、及び硫化亜鉛−二酸化シリコン等の誘電体から構成されてもよい。さらに、第１硬質層２４は、ラッカー（Lacquer material）から構成されてもよい。ラッカーは、紫外線硬化性ラッカー（UV cured lacquer）または熱硬化性ラッカー（Thermally cured lacquer coating）から選ばれ、この場合、第１硬質層２４がスピンコーティングによって第２基板２３の上表面２３１に形成される。もちろん、第１硬質層２４は、上述したスパッタリング、蒸着、スピンコーティングの他に、貼り合わせによって第２基板２３の上表面２３１に形成することもできる。
【００１５】
ここで、第１基板２１は、第１反射層２２２のスパッタリングまたは蒸着工程で変形が生じることもあるが、第２基板２３の上表面２３１に第１硬質層２４を設けることにより、第１基板２１がスパッタリングまたは蒸着によって変形が生じても、第２基板２３と第１基板２１を結合させることで、第１基板２１の湾曲変形を矯正し、光情報記録媒体を最終的に平板状にすることができる。
【実施例２】
【００１６】
本発明の光情報記録媒体は、実施例１において、片面単層のディスクを例としたが、他の規格のデジタルビデオディスクを例にすることもできる。図３は、本発明の実施例２における光情報記録媒体３を示す断面図である。本実施例において、光情報記録媒体３は、貼り合わせ工程を経た片面２層のディスクを例とする。図３に示すように、光情報記録媒体３は、第１基板３１と、第１基板３１に設けられた第１記録積層体３２と、下表面３５１を有する第２基板３５と、第２基板３５の下表面３５１に設けられた第１硬質層３６とを備える。また、光情報記録媒体３は、第１記録積層体３２に設けられたスペーサ層３３と、スペーサ層３３に設けられた第２記録積層体３４とをさらに備える。
【００１７】
本実施例において、第１硬質層３６が第２基板３５の下表面３５１に設けられるため、第２基板３５がスパッタリングまたは蒸着工程を経ても、原状を維持し変形が生じにくい。なお、第１基板３１がスパッタリングによって変形されても、第２基板３５と第１基板３１とを結合させることにより、第１基板３１の湾曲変形を矯正することができる。
【実施例３】
【００１８】
図４は、本発明の実施例３における光情報記録媒体４を示す断面図である。本実施例において、光情報記録媒体４は、２P工程を経た片面２層のディスクを例とする。光情報記録媒体４は、その構成が実施例２における光情報記録媒体３と大体同じで、第１基板４１と、第１基板４１に設けられた第１記録積層体４２と、上表面４５１と下表面４５２を有する第２基板４５と、第２基板４５の下表面４５２に設けられた第１硬質層４６とを備える。また、光情報記録媒体４は、第１記録積層体４２に設けられたスペーサ層４３と、第２記録積層体４４と、をさらに備える。
【００１９】
なお、本実施例の光情報記録媒体４は、実施例２の光情報記録媒体３と比較すると、基板４５の上表面４５１に設けられた第２硬質層４７と、をさらに備える。第２基板４５の上表面４５１に第２硬質層４７を設け、そして第２基板４５の下表面４５２に第１硬質層４６を設けることにより、第２基板４５の機械強度を増加することができる。従って、第２基板４５は、スパッタリングまたは蒸着工程に耐えるのみならず、スタンパを剥離するステップで受けた外力にも耐えられ、平坦状態を維持することができる。
【００２０】
すなわち、本発明は、実際の状況に応じて、第２基板の一表面に第１硬質層を設けることができるが、第２基板の上表面と下表面にそれぞれ第１硬質層と第２硬質層を設けることもできる。
【００２１】
以上、本発明の実施の形態を図面を参照して詳述してきたが、具体的な構成は、これらの実施例に限られるものではなく、本発明の要旨を逸脱しない範囲の設計変更等があっても、本発明に含まれる。
【図面の簡単な説明】
【００２２】
【図１】従来の光情報記録媒体を示す断面図である。
【図２】本発明の実施例１における光情報記録媒体を示す断面図である。
【図３】本発明の実施例２における光情報記録媒体を示す断面図である。
【図４】本発明の実施例３における光情報記録媒体を示す断面図である。
【符号の説明】
【００２３】
１        光情報記録媒体
１１      第１基板
１２      第１記録積層体
１２１    第１記録層
１２２    第１反射層
１３      第２基板
２        光情報記録媒体
２１      第１基板
２２      第１記録積層体
２２１    第１記録層
２２２    第１反射層
２３      第２基板
２３１    第２基板の上表面
２３２    第２基板の下表面
２４      第１硬質層
３        光情報記録媒体
３１      第１基板
３２      第１記録積層体
３３      スペーサ層
３４      第２記録積層体
３５      第２基板
３５１    第２基板の下表面
３６      第１硬質層
４        光情報記録媒体
４１      第１基板
４２      第１記録積層体
４３      スペーサ層
４４      第２記録積層体
４５      第２基板
４５１    第２基板の上表面
４５２    第２基板の下表面
４６      第１硬質層
４７      第２硬質層
【図１】
2006294232.tif 000003
【図２】
2006294232.tif 000004
【図３】
2006294232.tif 000005
【図４】
2006294232.tif 000006